(57)【要約】【課題】操作パネルをスムーズかつ短時間で目的の位置に移動させることができる電動パネルを有する電子機器を提供する。【解決手段】機器本体１の前面側に取付けられた操作パネル２が傾動可能となっており、操作パネル２が機器本体１の前面を密に覆う全閉位置からアングル１よりアングルｎまで、順次水平面に対する傾斜角度が小さくなる位置のいずれかの位置で使用される電動パネルを有する電子機器において、操作パネル２を全閉位置から目的のアングル位置に移動させるとき、途中のアングル位置で停止させることなく、スムーズに目的のアングル位置まで移動させる。【選択図】        図１
2005206008.tif 000002
【特許請求の範囲】
【請求項１】
機器本体の前面側に取付けられた操作パネルが傾動可能となっており、操作パネルが機器本体の前面を密に覆う全閉位置からアングル１よりアングルｎまで、順次水平面に対する傾斜角度が小さくなる位置のいずれかの位置で使用される電動パネルを有する電子機器において、操作パネルを全閉位置から目的のアングル位置に移動させるとき、途中のアングル位置で停止させることなく、スムーズに目的のアングル位置まで移動させることを特徴とする電動パネルを有する電子機器。
【請求項２】
前記操作パネルの駆動時間を管理することにより夫々の目的のアングル位置に操作パネルを移動させるように構成した請求項１の電動パネルを有する電子機器。
【請求項３】
操作パネルが所定の動作により全閉位置から移動される目的位置は前回電子機器が使用された操作パネルのアングル位置とする請求項１または２の電動パネルを有する電子機器。
【発明の詳細な説明】
【技術分野】
【０００１】
この発明は電動パネルを有する電子機器に係わり、特に、操作パネルの駆動方法に関する。
【背景技術】
【０００２】
従来の車載用音響機器には、機器本体の前面に配置される操作パネルを傾動させて記録媒体挿入口を露出させ、また、操作し易い位置に操作パネルの角度を設定するようになっているものがある。
【０００３】
例えば、特公平６−４６４９３号公報に提案された操作パネル開閉機能付き電子機器は、前面に操作パネルが所定の角度範囲で開閉自在に設けられており、操作パネルの開き角度を記憶しておき、操作パネルを記憶した角度位置から全開または全閉した後、所定の動作をした後、記憶している開き角度位置まで自動的に開かれる。
【０００４】
このような操作パネル開閉動作では操作パネルを任意の角度に設定して使用することができるが、設定する角度がばらばらになるとかえって使い勝手がわるくなる。すなわち、操作パネルを使いやすい角度に設定したつもりが最も使いやすい角度から微妙にずれることがある。
【０００５】
そこで、操作パネルを複数の決まったアングル位置に設定できるものが使用されている。この場合、設定される操作パネルの各アングル位置をマイクロスイッチ等で検出して操作パネルを停止させることも可能であるが、マイクロスイッチ等を配置するスペースや配線等が必要であるため、操作パネルの駆動時間を管理することにより、操作パネルを目的の位置に移動させるものがあった。
【０００６】
この場合、操作パネルを所定の時間駆動させて次のアングル位置に移動させてブレーキをかける。そして、操作パネルを停止させる複数のアングル位置が、全閉位置からアングル１〜アングルｎまである場合に全閉位置からアングルｎまで移動させるときは、操作パネル夫々の所定の位置に停止させながら所定の時間駆動させる動作をｎ回繰り返していた。これは、所定の駆動時間のｎ倍の時間操作パネルを停止させることなく駆動すると、ブレーキをかける時間がないため操作パネルが過剰に駆動されるためである。
【特許文献１】特公平６−４６４９３号公報、第２頁、第３図〜第４図
【発明の開示】
【発明が解決しようとする課題】
【０００７】
上記した従来の操作パネルの駆動装置では、設定される操作パネルの各アングル位置を通過させて操作パネルを移動させるとき通過する各アングル位置で操作パネルが一旦停止するため、操作パネルの動きがスムーズでなくなる。また、操作パネルを移動させる時間が長くなるという問題があった。
【０００８】
この発明は上記した点に鑑みてなされたものであって、その目的とするところは、操作パネルをスムーズかつ短時間で目的の位置に移動させることができる電動パネルを有する電子機器を提供することである。
【課題を解決するための手段】
【０００９】
この発明の電動パネルを有する電子機器は、機器本体の前面側に取付けられた操作パネルが傾動可能となっており、操作パネルが機器本体の前面を密に覆う全閉位置からアングル１よりアングルｎまで、順次水平面に対する傾斜角度が小さくなる位置のいずれかの位置で使用される電動パネルを有する電子機器において、操作パネルを全閉位置から目的のアングル位置に移動させるとき、途中のアングル位置で停止させることなく、スムーズに目的のアングル位置まで移動させるものである。
【００１０】
また、前記電動パネルを有する電子機器において、前記操作パネルの駆動時間を管理することにより夫々の目的のアングル位置に操作パネルを移動させるように構成したものである。
【００１１】
また、前記電動パネルを有する電子機器において、操作パネルが所定の動作により全閉位置から移動される目的位置を前回電子機器が使用された操作パネルのアングル位置とするものである。
【発明の効果】
【００１２】
この発明の電動パネルを有する電子機器によれば、パワーオン時等操作パネルを全閉位置から所定のアングル位置に移動させるときに段階的に動作することなくスムーズに動作するために違和感がなく、製品品位を向上させることができる。また、操作パネルの移動時間が短くなる。
【発明を実施するための最良の形態】
【００１３】
以下この発明を実施するための最良の形態を実施例に即して説明する。
【実施例１】
【００１４】
図１（ａ）はこの発明の実施例１である車載用音響機器のパネル全閉状態を示す概略構成図、図１（ｂ）〜（ｃ）は同車載用音響機器のパネル半開状態を示す概略構成図、図１（ｄ）は同車載用音響機器のパネル全開状態を示す概略構成図である。図に示すパネル本体２は操作部および表示部を備えており、機器本体１の前面に取付けられたサブパネル２ａに着脱可能となっている。パネル本体２をサブパネル２ａから取り外すことにより防犯防止効果が得られる。
【００１５】
パネル本体２がサブパネル２ａに装着されるとパネル本体２の回路はサブパネル２ａを介して機器本体内にある制御部６（図２）に接続される。以下に、図１（ａ）〜図１（ｄ）に示すパネル本体２の位置を夫々フルクローズ位置、アングル位置１、アングル位置２、アングル位置３と称する。
【００１６】
サブパネル２ａはパネル開閉装置３により図１（ａ）に示すフルクローズ位置から、図１（ｂ）〜（ｃ）に示すアングル位置１、アングル位置２を経て、図１（ｄ）に示すアングル位置３の全開状態まで駆動される。
【００１７】
図１（ｂ）または（ｃ）に示すパネル半開状態でサブパネル２ａを停止させて、この車載用音響機器を使用することができる。このように操作パネルの位置を各アングル位置で使用できるようにするのは、車種に合わせたアングル位置で使用することにより、パネル本体２の表示部が見やすく、また、操作部を操作しやすくするためである。
【００１８】
機器本体１には前面に開口部を有する記録媒体（ディスク）挿入口１ａが設けられている。記録媒体挿入口１ａはパネル全閉状態でサブパネル２ａに覆われる。記録媒体挿入口１ａには、記録媒体センサ５が設けられており、記録媒体挿入口１ａに挿入された記録媒体はローディング装置４により図２に示した再生部７に装着される。
【００１９】
図２は同車載用音響機器の制御回路を示すブロック図である。図に示す制御部６はマイクロコンピュータを備えており、パネル本体２および固定部に設けられた操作部８の操作釦および記録媒体センサ５からの信号が入力され、再生部７、パネル開閉装置３およびローディング装置４を制御する。
【００２０】
なお、制御部６はパネル開度記憶部６ａを備えており、操作部８の操作により使用時のパネル開度がパネル開度記憶部６ａに記憶され、通常は記憶されたパネル開度で車載用音響機器が使用される。
【００２１】
制御部６はパネル開閉装置３を制御してサブパネル２ａを駆動させる。例えば、操作部８のアングル釦が１秒間以上継続して押される毎にサブパネル２ａをフルクローズ位置からアングル位置１へ、また、アングル位置１からアングル位置２へ、また、アングル位置２からアングル位置３へ、また、アングル位置３からフルクローズ位置へ移動させる。これらの移動は、パネル開閉装置３を駆動するモータの回転方向および駆動時間を管理することにより行われる。
【００２２】
アングル釦が１秒間未満の短い時間押されると、サブパネル２ａをアングル位置３（全開位置）に移動させた後、再生部７にあるディスクがローディング装置４により記録媒体挿入口１ａに排出される。
【００２３】
記録媒体挿入口１ａにディスクを挿入した場合は、ディスクがローディング装置４により再生部７にローディングされる。その後、サブパネル２ａは一旦フルクローズとされた後、前回使用された位置（アングル位置１〜アングル位置３のいずれか）に途中停止することなく移動される。なお、前回使用された位置は、パネル開度記憶部６ａに記憶されている。
【００２４】
電源遮断時にはサブパネル２ａは全閉位置に移動されるが、次に、電源を投入したときに前回使用した位置に移動される。電源遮断時にはサブパネル２ａを全閉位置に移動するのは、装置の安全性を確保し、また、運転操作等の邪魔とならないように車内スペースを確保するためである。
【００２５】
図３の表にサブパネル２ａを駆動する時間を夫々の移動前の位置と移動後の位置について示している。表に示すようにフルクローズ位置からアングル位置１へは１１０ｍｓｅｃ駆動することにより移動される。アングル位置１からアングル位置２へは１０５ｍｓｅｃ駆動することにより移動される。アングル位置２からアングル位置３へは１０５ｍｓｅｃ駆動することにより移動される。
【００２６】
また、フルクローズ位置からアングル位置１へは１１０ｍｓｅｃ駆動することにより移動される。フルクローズ位置からアングル位置２へは２１０ｍｓｅｃ駆動することにより移動される。この駆動時間がフルクローズ位置からアングル位置１への駆動時間とアングル位置１からアングル位置２への駆動時間の和より小さくなっているのは途中ブレーキをかけて停止させないためである。
【００２７】
フルクローズ位置からアングル位置３へは３１５ｍｓｅｃ駆動することにより移動される。この駆動時間が夫々の隣り合う位置間の移動時間の和より小さくなっているのは途中ブレーキをかけて停止させないためである。
【００２８】
このように途中の各アングル位置で停止させないで、駆動時間を管理することにより目的のアングル位置に正確に移動させることができる。制御のためのプログラムは複雑となるが、パネルがスムーズに駆動され、また、駆動時間が短くなる。
【００２９】
実施例は以上のように構成されているが発明はこれに限られず、例えば、アングル位置は３か所に限らず、２か所または４か所であってもよい。
【図面の簡単な説明】
【００３０】
【図１】図１（ａ）はこの発明の実施例１である車載用音響機器のパネル全閉状態を示す概略構成図、図１（ｂ）および（ｃ）は同車載用音響機器のパネル半開状態を示す概略構成図、図１（ｄ）は同車載用音響機器のパネル全開状態を示す概略構成図である。
【図２】同車載用音響機器の制御回路を示すブロック図である。
【図３】同車載用音響機器のパネル駆動時間を示す表である。
【符号の説明】
【００３１】
１  機器本体、１ａ  記録媒体挿入口
２  パネル本体、２ａ  サブパネル
３  パネル開閉装置
４  ローディング装置
５  記録媒体センサ
６  制御部、６ａ  パネル開度記憶部
７  再生部
８  操作部
【図１】
2005206008.tif 000003
【図２】
2005206008.tif 000004
【図３】
2005206008.tif 000005